(57)【要約】【課題】ヘッドホンのコード分岐部に着脱自在に取り付け可能なヘッドホン用装飾品を提供する。【解決手段】装飾品５０をヘッドホンのコード分岐部２０に取り付ける場合は、装飾部５２が形成又は接着された分岐カバー５１における開口部５１ａの長手方向を、分岐部本体２１の長手方向に沿って押し付ける。すると、開口部５１ａが、この閉じる方向の弾性力に抗して、分岐部本体２１の外周面により押し広げられ、この分岐部本体２１が分岐カバー５１内に挿入されて嵌着される。ヘッドホンを使用する場合、コード分岐部２０が胸元に位置するので、このコード分岐部２０に取り付けられた装飾品５０がペンダント等と同様の機能を発揮してファッション性を向上させる。【選択図】図１
0003143713.tif 000002
【実用新案登録請求の範囲】
【請求項１】
電気信号を音声信号に変換するヘッド本体と、
筒状のコード分岐部から延設されて前記ヘッドホン本体に接続された第１のコード部と、
前記コード分岐部から延設された第２のコード部と、
前記第２のコード部の端部に取り付けられ、携帯用音響機器を接続するための接続部と、
を有するヘッドホンにおける前記コード分岐部に取り付けられるヘッドホン用装飾品であって、
ほぼ筒状をなし、前記コード分岐部の断面の口径よりも小さな幅の開口部が前記筒状の長手方向に形成され、前記開口部を介して前記コード分岐部の外周面に着脱自在に嵌着される分岐カバーと、
前記分岐カバーの外周面に形成又は接着された装飾部と、
を有することを特徴とするヘッドホン用装飾品。
【請求項２】
前記コード分岐部の両端には、前記分岐カバーの両端を係止するための鍔部が形成されていることを特徴とする請求項１記載のヘッドホン用装飾品。
【請求項３】
前記コード分岐部の外周面及び前記分岐カバーの内周面には、前記分岐カバーを前記コード分岐部へ着脱自在に係合するための係合部が形成されていることを特徴とする請求項１記載のヘッドホン用装飾品。
【請求項４】
前記係合部は、嵌脱自在の凹凸部により形成されていることを特徴とする請求項３記載のヘッドホン用装飾品。
【請求項５】
前記コード分岐部は、断面が円形、楕円形又は角形であるほぼ筒状をなし、
前記分岐カバーは、前記コード分岐部の外周面に適合する筒状であって、前記筒状の長手方向に前記開口部が形成された樹脂部材又は金属部材により形成されていることを特徴とする請求項１〜４のいずれか１項に記載のヘッドホン用装飾品。
【請求項６】
前記接続部は、プラグを有することを特徴とする請求項１〜５のいずれか１項に記載のヘッドホン用装飾品。
【考案の詳細な説明】
【技術分野】
【０００１】
本考案は、インナイヤー型又はアウトイヤー型ヘッドホンにおけるコード分岐部に着脱自在に取り付けられるヘッドホン用装飾品に関するものである。
【背景技術】
【０００２】
従来、ヘッドホン用装飾品に関する技術としては、例えば、次のような文献等に記載されるものがあった。
【０００３】
【特許文献１】実用新案登録第３０２４４１６号公報
【特許文献２】実用新案登録第３１０５６０１号公報
【０００４】
特許文献１及び２には、音楽等を聴くためのインナイヤー型ヘッドホンにおいて、電気／音声変換用のヘッドホン本体の背面側等に人形、ビーズ、チェーン等の装飾品を取り付け、耳元付近のファッション性を向上させて、商品としての外観を魅力的にするための技術が記載されている。
【考案の開示】
【考案が解決しようとする課題】
【０００５】
しかしながら、従来のヘッドホン用装飾品は、ヘッドホン本体側に取り付けられているので、ヘッドホン本体側の重量が増して使用時に耳への負担が大きくなってヘッドホン本体が耳から外れ易くなったり、使用中にビーズ、チェーン等の装飾品が揺動してこれがノイズとして聴いている音楽の邪魔をするので、音楽が聞き取り難いと言った課題があった。
【課題を解決するための手段】
【０００６】
本考案のヘッドホン用装飾品は、電気信号を音声信号に変換するヘッド本体と、筒状のコード分岐部から延設されて前記ヘッドホン本体に接続された第１のコード部と、前記コード分岐部から延設された第２のコード部と、前記第２のコード部の端部に取り付けられ、携帯用音響機器を接続するための接続部と、を有するヘッドホンにおける前記コード分岐部に取り付けられるヘッドホン用装飾品であって、ほぼ筒状をなし、前記コード分岐部の断面の口径よりも小さな幅の開口部が前記筒状の長手方向に形成され、前記開口部を介して前記コード分岐部の外周面に着脱自在に嵌着される分岐カバーと、前記分岐カバーの外周面に形成又は接着された装飾部と、を有することを特徴とする。
【考案の効果】
【０００７】
本考案によれば、使用者独自のカスタマイズが可能で、服装等に合わせて任意のデザインのヘッドホン用装飾品をコード分岐部に対して簡単に着脱できる構成にしたので、各種のヘッドホンに対し、音楽等を聴くという実用性の他に、ペンダントやネックレス等と同様の機能を発揮してファッション性を向上させ、これにより商品価値を高めることができる。しかも、従来のように、ヘッドホン本体側ではなく、胸元や首周辺等に位置するコード分岐部に装飾品を着脱自在に嵌着する構造になっているので、使用時における耳への負担が少なくなってヘッドホン本体が耳から外れ難く、又、使用中に装飾品の取り付け箇所が揺動しても、これがノイズとして聴いている音楽の邪魔をすることもない。
【考案を実施するための最良の形態】
【０００８】
本考案を実施するための最良の形態は、以下の好ましい実施例の説明を添付図面と照らし合わせて読むと、明らかになるであろう。但し、図面はもっぱら解説のためのものであって、本考案の範囲を限定するものではない。
【実施例１】
【０００９】
（構成）
図２は、本考案の実施例１におけるヘッドホン用装飾品を取り付けるためのＹ型ヘッドホンを示す概略の構成図である。
【００１０】
このＹ字型ヘッドホンは、Ｙ字型コード１０と、電気信号を音声に変換する左耳用のヘッドホン本体（例えば、インナイヤー型のヘッドホン本体）３０−１と、電気信号を音声に変換する右耳用のヘッドホン本体（例えば、インナーイヤー型のヘッドホン本体）３０−２と、リモートコントロール部又は携帯用音響機器（例えば、ＭＤプレーヤ、ＣＤプレーヤ等）のジャック等に挿着される接続部（例えば、プラグ）４０とにより構成されている。
【００１１】
Ｙ字型コード１０は、複数本の導体が軟質樹脂等の絶縁性の外皮部材により被覆された第１のコード部１１，１２及び第２のコード部１３により形成されており、このＹ字型に分岐する分岐箇所に、コード分岐部２０が取り付けられている。コード分岐部２０は、第１のコード部１１，１２及び第２のコード部１３を貫通して固定するために、硬質樹脂等の絶縁性の筒状部材（例えば、ほぼ円筒状部材）により形成され、このコード分岐部２０から、第１のコード部１１，１２が延設されると共に、第２のコード部１３が延設されている。
【００１２】
第１の分岐コード部１１の端部には、左耳用のインナーイヤー型ヘッドホン本体３０−１が接続され、第１の分岐コード部１２の端部にも、右耳用のインナーイヤー型ヘッドホン本体３０−２が接続されている。左耳用のヘッドホン本体３０−１と右耳用のヘッドホン本体３０−２とは、同一構造であり、例えば、内部に電気／音声変換器であるドライバユニットを収納したケース３１と、このケース３１の開口部に装着され、外耳道に挿入されるイヤーピース３２等とにより構成されている。第２のコード部１３の端部には、プラグ４０が接続されている。
【００１３】
図１（ａ）、（ｂ）、（ｃ）は、図２のＹ型ヘッドホンに取る付けるための本考案の実施例１におけるヘッドホン用装飾品を示す概略の構成図であり、同図（ａ）は斜視図、及び、同図（ｂ）、（ｃ）は縦断面図である。
【００１４】
本実施例１のヘッドホン用装飾品５０は、例えば、図２のコード分岐部２０に着脱自在に取り付けられるものである。コード分岐部２０は、硬質樹脂等の絶縁性の円筒状部材で形成された分岐部本体２１を有し、この分岐部本体２１の両端には、これよりも口径の大きな鍔部２２，２３が延設されている。分岐部本体２１及び鍔部２２，２３の中心軸に形成された貫通孔２１ａには、コード部１１，１２，１３が挿入されて固定されている。
【００１５】
このようなコード分岐部２０に取り付けられる装飾品５０は、分岐部本体２１の外周面に着脱自在に嵌着される軽量の分岐カバー５１と、この分岐カバー５１の外周面に形成又は接着された軽量の装飾部５２とにより構成されている。分岐カバー５１は、円筒状の分岐部本体２１の断面の口径とほぼ同一か又は少し小さな断面の口径を有する円筒状部材により構成され、この長手方向に、分岐部本体２１の断面の口径よりも小さな幅の開口部５１ａが形成されている。分岐カバー５１は、硬質樹脂や金属等の薄板により形成され、開口部５１ａを介して分岐部本体２１の外周面に着脱自在に嵌着するために弾力性を有する構造になっている。装飾部５２は、花弁、小玉等の宝石類等の小片や、あるいはシール片等で構成されており、図１（ａ）、（ｃ）に示すように、これらが予め分岐カバー５１の外周面に形成又は接着されているか、あるいは、図１（ａ）、（ｂ）に示すように、後から使用者が好みに応じて任意に分岐カバー５１の外周面に接着できる構造になっている。
【００１６】
（使用例）
ヘッドホン用装飾品５０をＹ字型ヘッドホンのコード分岐部２０に取り付ける場合は、装飾部５２が形成又は接着された分岐カバー５１における開口部５１ａの長手方向を、分岐部本体２１の長手方向に沿って押し付ける。すると、開口部５１ａが、この閉じる方向の弾性力に抗して、分岐部本体２１の外周面により押し広げられ、この分岐部本体２１が分岐カバー５１内に挿入され、開口部５１ａの閉じる方向の弾性力により、分岐カバー５１が分岐部本体２１の外周面に嵌着される。この際、分岐カバー５１の両端は、コード分岐部２０側の鍔部２２，２３により係止されて長手方向の移動が規制されるので、分岐カバー５１が分岐部本体２１の外周面に固定される。
【００１７】
装飾品５０が取り付けられたＹ字型ヘッドホンを使用する場合、使用者がヘッドホン本体３０−１，３０−２を両耳に挿入すれば、コード分岐部２０が胸元に位置するので、このコード分岐部２０に取り付けられた装飾品５０がペンダント等と同様の機能を発揮してファッション性を向上させる。これにより、音楽等を聴くという実用性の他に、ファッション性が向上し、商品としての外観が魅力的になって商品価値が向上する。
【００１８】
使用者の好みに応じて他のデザインの装飾品５０に取り替える場合は、コード分岐部２０に取り付けられた装飾品５０を指で摘んで開口部５１ａを分岐部本体２１から引き離す。すると、開口部５１ａが、この閉じる方向の弾性力に抗して、分岐部本体２１の外周面により押し広げられてこの分岐部本体２１から離脱するので、装飾品５０をコード分岐部２０から簡単に取り外すことができる。使用者は、他のデザインの装飾部５２が予め形成又は接着された、あるいは後から接着した新たな装飾品５０をコード分岐部２０へ取り付ければ、服装等に合わせて任意の装飾品５０を簡単に取り替えることができる。
【００１９】
（効果）
本実施例１によれば、使用者独自のカスタマイズが可能で、服装等に合わせて任意のデザインの装飾品５０をコード分岐部２０に対して簡単に着脱できる構成にしたので、Ｙ字型ヘッドホンに対し、音楽等を聴くという実用性の他に、ペンダント等と同様の機能を発揮してファッション性を向上させ、これにより商品価値を高めることができる。しかも、従来のように、ヘッドホン本体３０−１，３０−２側ではなく、胸元に位置するコード分岐部２０に軽量の装飾品５０を取り付ける構造になっているので、使用時における耳への負担が少なくなってヘッドホン本体３０−１，３０−２が耳から外れ難く、又、使用中に装飾品５０の取り付け箇所が揺動しても、これがノイズとして聴いている音楽の邪魔をすることもない。
【実施例２】
【００２０】
図３は、本考案の実施例２におけるヘッドホン用装飾品を取り付けるためのネックストラップ型ヘッドホンを示す概略の構成図であり、実施例１を示す図１及び図２中の要素と共通の要素には共通の符号が付されている。
【００２１】
このネックストラップ型ヘッドホンは、ネックストラップ型コード１０Ａと、電気信号を音声に変換する左耳用のインナイヤー型ヘッドホン本体３０−１と、電気信号を音声に変換する右耳用のインナーイヤー型ヘッドホン本体３０−２と、リモートコントロール部又は携帯用音響機器（例えば、ＭＤプレーヤ、ＣＤプレーヤ等）のジャック等に挿着される接続部（例えば、プラグ）４０とにより構成されている。
【００２２】
ネックストラップ型コード１０Ａは、実施例１のコード分岐部２０とほぼ同様の２つのコード分岐部２０−１，２０−２を有し、この一方のコード分岐部２０−１から、第１のコード部１１が延設されて左耳用のインナイヤー型ヘッドホン本体３０−１が接続され、他方のコード分岐部２０−２から、第１のコード部１２が延設されて右耳用のインナイヤー型ヘッドホン本体３０−２が接続されている。２つのコード分岐部２０−１，２０−２間は、ネックチェーン部１４により連結されて首に掛けるようになっている。
【００２３】
更に、各コード分岐部２０−１，２０−２からは、第２のコード部１３−１，１３−２がそれぞれ延設され、この第２のコード部１３−１，１３−２の端部が吊着部２１に接続されている。吊着部２１には、例えば、コード部１５を介してプラグ４０が接続され、このプラグ４０が携帯用音響機器６０のジャックに接続される。
【００２４】
本実施例２では、２つのコード分岐部２０−１，２０−２のいずれか一方の外周面又は両方の外周面に、図１のヘッドホン用装飾品５０を着脱自在に嵌着できる構造になっている。そのため、ネックストラップ型コード１０Ａを首に掛け、携帯用音響機器６０で発生した音楽をヘッドホン本体３０−１，３０−２で聴く場合、コード分岐部２０−１，２０−２が首周辺部に位置するので、このコード分岐部２０−１，２０−２に取り付けられたヘッドホン用装飾品５０により、音楽を聴くという実用性の他に、ネックレス等と同様の機能を発揮してファッション性を向上させ、これにより商品価値を高めることができる。
【実施例３】
【００２５】
図４（ａ）、（ｂ）は、本考案の実施例３におけるヘッドホン用装飾品を示す概略の構成図であり、同図（ａ）は縦断面図、及び同図（ｂ）は横断面図である。この図４において、実施例１を示す図１中の要素と共通の要素には共通の符号が付されている。
【００２６】
本実施例３では、実施例１のコード分岐部２０及びヘッドホン用装飾品５０とは異なる構成のコード分岐部２０Ａ及びヘッドホン用装飾品５０Ａを有している。コード分岐部２０Ａは、硬質樹脂等の絶縁性の円筒状部材で形成された分岐部本体２１Ａを有している。分岐部本体２１Ａには、この中心軸に沿ってコード部１１，１２，１３を貫通させて固定するための貫通孔２１ａが形成され、更に、外周面の所定箇所（例えば、対向する２箇所）に、係合部（例えば、凹部）２１ｂがそれぞれ形成されている。
【００２７】
このようなコード分岐部２０Ａに取り付けられる装飾品５０Ａは、分岐部本体２１Ａの外周面に着脱自在に嵌着される軽量の分岐カバー５１Ａと、この分岐カバー５１Ａの外周面に形成又は接着された軽量の装飾部５２とにより構成されている。分岐カバー５１Ａは、円筒状の分岐部本体２１Ａの断面の口径とほぼ同一か又は少し小さな断面の口径を有する円筒状部材により構成され、この長手方向に、実施例１と同様の開口部５１ａが形成され、更に、内周面の所定箇所（例えば、２箇所）に、分岐部本体２１Ａ側の２つの凹部２１ｂへ着脱自在に係合するための係合部（例えば、２つの凸部）５１ｂが突設されている。装飾部５２は、実施例１と同様に、花弁、小玉等の宝石類等の小片や、あるいはシール片等で構成されている。
【００２８】
本実施例３のヘッドホン用装飾品５０Ａでは、装飾部５２が形成又は接着された分岐カバー５１Ａにおける開口部５１ａの長手方向を位置決めして、分岐部本体２１Ａの長手方向に沿って押し付けると、開口部５１ａが、この閉じる方向の弾性力に抗して、分岐部本体２１Ａの外周面により押し広げられ、この分岐部本体２１Ａが分岐カバー５１Ａ内に挿入される。そして、分岐カバー５１Ａ側の凸部５１ｂが分岐部本体２１Ａ側の凹部２１ｂへ係合すると共に、分岐カバー５１Ａ側の開口部５１ａの閉じる方向の弾性力により、分岐カバー５１Ａが分岐部本体２１Ａの外周面に嵌着される。
【００２９】
使用者の好みに応じて他のデザインの装飾品５０Ａに取り替える場合は、コード分岐部２０Ａに取り付けられた装飾品５０Ａを指で摘んで開口部５１ａを分岐部本体２１Ａから引き離す。すると、開口部５１ａが、この閉じる方向の弾性力に抗して、分岐部本体２１Ａの外周面により押し広げられてこの分岐部本体２１Ａから離脱すると共に、分岐部本体２１Ａ側の凹部２１ｂから分岐カバー５１Ａ側の凸部５１ｂが離脱するので、装飾品５０Ａをコード分岐部２０Ａから簡単に取り外すことができる。従って、実施例１とほぼ同様の効果を得ることができる。
【００３０】
（変形例）
本考案は、上記実施例に限定されず、種々の利用形態や変形が可能である。この利用形態や変形例としては、例えば、次の（ａ）〜（ｃ）のようなものがある。
（ａ）  ヘッドホン本体３０−１，３０−２は、図示以外の形状のものに変更したり、あるいは、インナイヤー型に代えてアウトイヤー型のヘッドホン本体を設けても良い。
（ｂ）  図１や図４のヘッドホン用装飾品５０，５０Ａは、図２のＹ字型ヘッドホンや図３のネックストラップ型ヘッドホン以外の構造や型式のものにも取り付けることができる。
（ｃ）  図１及び図４において、コード分岐部２０，２０Ａは、ほぼ円筒形状以外の他の形状（例えば、断面が楕円形、角形等の筒状の形状）に変更しても良い。これに適合するように、装飾品５０，５０Ａも他の形状（例えば、断面が楕円形、角形等）に変更すれば良い。又、分岐カバー５１，５１Ａをコード分岐部２０，２０Ａへ着脱自在に係合するための係合部の構造は、図示以外の種々の形態に変更できる。
【図面の簡単な説明】
【００３１】
【図１】本考案の実施例１におけるヘッドホン用装飾品を示す概略の構成図である。
【図２】本考案の実施例１におけるヘッドホン用装飾品を取り付けるためのＹ型ヘッドホンを示す概略の構成図である。
【図３】本考案の実施例２におけるヘッドホン用装飾品を取り付けるためのネックストラップ型ヘッドホンを示す概略の構成図である。
【図４】本考案の実施例３におけるヘッドホン用装飾品を示す概略の構成図である。
【符号の説明】
【００３２】
１０      Ｙ字型コード
１０Ａ      ネックストラップ型コード
１１，１２，１３，１３−１，１３−２，１５      コード部
２０，２０−１，２０−２      コード分岐部
２１，２１Ａ      分岐部本体
２１ｂ      凹部
２２，２３      鍔部
３０−１，３０−２      ヘッドホン本体
４０      プラグ
５０，５０Ａ      ヘッドホン用装飾品
５１，５１Ａ      分岐カバー
５１ａ      開口部
５１ｂ      凸部
５２      装飾部
【図１】
0003143713.tif 000003
【図２】
0003143713.tif 000004
【図３】
0003143713.tif 000005
【図４】
0003143713.tif 000006